(57)【要約】【課題】鍵盤蓋の設計の自由度を高くできる鍵盤蓋の開閉装置を提供する。【解決手段】楽器ケース２内に設けられた鍵盤３を開閉自在に覆う鍵盤蓋２０から側方に第１支持部２６ａ及び第２支持部２６ｂが突出し、第１端３０ａから第２端３０ｂまで連続するガイド部３０が楽器ケース２の側板４に設けられる。第１支持部２６ａ及び第２支持部２６ｂの移動が案内される。第１支持部２６ａ及び第２支持部２６ｂの移動が、第１端３０ａから第２端３０ｂへ向かってガイド部３０に案内されることにより、鍵盤蓋２０が起立しながら後方へ移動するので、固定された軸を中心に鍵盤蓋２０が回転して起立する場合と比較して、鍵盤蓋２０の設計に制約が少なく、鍵盤蓋２０の設計の自由度を高くできる。【選択図】図４
2017026789.tif 000002
【特許請求の範囲】
【請求項１】
楽器ケース内に設けられた鍵盤を開閉自在に覆う鍵盤蓋の開閉装置において、
前記楽器ケースの側板の少なくとも一方に設けられると共に第１端から第２端まで連続するガイド部と、
そのガイド部に移動が案内されると共に前記鍵盤蓋から側方に突出する第１支持部と、
その第１支持部よりも前記ガイド部の前記第２端側で移動が案内されると共に前記鍵盤蓋から側方に突出する第２支持部とを備え、
前記第１支持部および前記第２支持部の移動が、前記第１端から前記第２端へ向かって前記ガイド部に案内されることにより、前記鍵盤蓋が起立しながら後方へ移動することを特徴とする鍵盤蓋の開閉装置。
【請求項２】
前記第２支持部は、前記鍵盤蓋が閉状態で前記第１支持部よりも後方に位置し、
前記ガイド部は、前後方向に延びて設けられ、前記鍵盤蓋が閉状態における前記第２支持部の位置よりも前記第２端側が下方へ曲がる曲部を備え、
その曲部は前記第２端から前記第１端側へ向かって後方へ上昇傾斜する傾斜部を備えていることを特徴とする請求項１記載の鍵盤蓋の開閉装置。
【請求項３】
前記鍵盤蓋は、閉状態で前部から下方に突出すると共に閉状態で前記鍵盤の前方を覆う垂下部を備え、
前記ガイド部は、前記第１端から前記第２端側へ向かって上昇傾斜する上昇部を備えていることを特徴とする請求項１又は２に記載の鍵盤蓋の開閉装置。
【請求項４】
前記鍵盤蓋は、閉状態で前方側に設けられる前蓋と、
その前蓋の後部に連結部を介して折り曲げ可能に前部が連結される、前後方向に移動可能な後蓋と、
閉状態で前記前蓋の後部から後方へ向かって延びるアームとを備え、
前記第１支持部は、前記連結部に近接する前記アームの位置に設けられ、
前記第２支持部は、前記連結部との距離が、前記第１支持部と前記連結部との距離に比べて大きい前記アームの位置に設けられることを特徴とする請求項１から３のいずれかに記載の鍵盤蓋の開閉装置。
【請求項５】
前記ガイド部は、前記鍵盤蓋が開状態における前記第１支持部の位置から前記第１端側へ向かって上方へ傾斜することを特徴とする請求項１から４のいずれかに記載の鍵盤蓋の開閉装置。
【請求項６】
前記ガイド部は、前記第１支持部の位置から前記第２端側へ向かって傾斜する方向と、前記第２支持部の位置から前記第２端側へ向かって傾斜する方向とが前記鍵盤蓋の開閉段階に係わらず異なることを特徴とする請求項１から５のいずれかに記載の鍵盤蓋の開閉装置。
【発明の詳細な説明】
【技術分野】
【０００１】
本発明は鍵盤蓋の開閉装置に関し、鍵盤蓋の設計の自由度を高くできる鍵盤蓋の開閉装置に関するものである。
【背景技術】
【０００２】
鍵盤楽器には、楽器ケース内に設けられた鍵盤を開閉自在に覆う鍵盤蓋が設けられている。従来、鍵盤蓋から延びるアームに設けられる回転軸が楽器ケースの側板に軸支され、回転軸を中心に鍵盤蓋を回転させることで、鍵盤蓋を開閉する鍵盤蓋の開閉装置がある（特許文献１）。
【先行技術文献】
【特許文献】
【０００３】
【特許文献１】実公平７−３８９４９号公報
【発明の概要】
【発明が解決しようとする課題】
【０００４】
しかし、特許文献１は、鍵盤蓋の回転軸が固定されているので、鍵盤蓋の前後方向の寸法に応じて回転軸から鍵盤蓋の先端までの距離、即ち、開状態の鍵盤蓋の高さが決まってしまう。そのため、鍵盤蓋の設計の自由度が低いという問題点がある。
【０００５】
本発明は上述した問題点を解決するためになされたものであり、鍵盤蓋の設計の自由度を高くできる鍵盤蓋の開閉装置を提供することを目的とする。
【課題を解決するための手段および発明の効果】
【０００６】
この目的を達成するために、請求項１記載の鍵盤蓋の開閉装置によれば、楽器ケース内に設けられた鍵盤を開閉自在に覆う鍵盤蓋から側方に第１支持部および第２支持部が突出し、第１端から第２端まで連続するガイド部が楽器ケースの側板の少なくとも一方に設けられる。第１支持部の移動がガイド部に案内され、第１支持部よりもガイド部の第２端側で第２支持部の移動が案内される。第１端から第２端まで連続するガイド部により２つの支持部の移動を案内するので、鍵盤蓋の開き方を特定できる。
【０００７】
第１支持部および第２支持部の移動が、第１端から第２端へ向かってガイド部に案内されることにより、鍵盤蓋が起立しながら後方へ移動するので、即ち、固定された軸を中心に鍵盤蓋が回転しないので、固定された軸を中心に鍵盤蓋が回転して起立する場合と比較して、鍵盤蓋の設計に制約が少なく、鍵盤蓋の設計の自由度を高くできる効果がある。
【０００８】
請求項２記載の鍵盤蓋の開閉装置によれば、鍵盤蓋が閉状態で第１支持部よりも後方に第２支持部が位置する。前後方向に延びて設けられるガイド部は、鍵盤蓋が閉状態における第２支持部の位置よりも第２端側が下方へ曲がる曲部を備えている。鍵盤蓋の開け始めでは鍵盤蓋が前後方向に移動し、鍵盤蓋をさらに開けていくと第２支持部の移動が曲部に案内され、第２支持部が下方に落ち込むように、第１支持部を中心に第２支持部が回転して鍵盤蓋が起立する。これにより、開状態の鍵盤蓋の高さを低減できる効果がある。
【０００９】
曲部は第２端から第１端側へ向かって後方へ上昇傾斜する傾斜部を備えているので、鍵盤蓋が鍵盤に接触しないように、第２支持部を鍵盤へ近づけながら鍵盤蓋を起立させることができる。ガイド部をコンパクトにできるので、請求項１の効果に加え、前蓋の移動をコンパクトにでき、前蓋の開閉動作を容易にできる効果がある。
【００１０】
請求項３記載の鍵盤蓋の開閉装置によれば、閉状態で鍵盤蓋の前部から下方に突出する垂下部により鍵盤の前方を覆う。ガイド部は、第１端から第２端側へ向かって上方へ傾斜する上昇部を備えているので、鍵盤蓋の開け始めでは、第２支持部を中心に第１支持部が回転するようにして鍵盤蓋の前部が持ち上がる。その結果、請求項１又は２の効果に加え、鍵盤蓋の開閉時に垂下部が鍵盤に接触することを防止できる効果がある。
【００１１】
請求項４記載の鍵盤蓋の開閉装置によれば、鍵盤蓋は、閉状態で前方側に設けられる前蓋と、その前蓋の後部に連結部を介して折り曲げ可能に前部が連結される後蓋と、閉状態で前蓋の後部から後方へ向かって延びるアームとを備え、第１支持部および第２支持部がアームに設けられる。第１支持部および第２支持部の移動がガイド部に案内されて、連結部を中心に前蓋が後蓋へ向かって回転するように起立しながら前蓋が後方へ移動し、前後方向に移動可能な後蓋が前蓋の移動に伴って後方へ移動することで鍵盤蓋を開くことができる。
【００１２】
鍵盤蓋を開くとき、後蓋の移動に伴って連結部が後方へ移動するので、連結部に近接する第１支持部が連結部と略同様に後方へ移動する。第１支持部と連結部との距離に比べて、第２支持部と連結部との距離が大きいので、第１支持部および連結部を中心に第２支持部が回転するように前蓋が起立する。即ち、前蓋は、第１支持部の移動により後方へ移動し、第２支持部の移動により起立するので、第２支持部の後方への移動距離を抑制できる。鍵盤蓋が閉状態の第２支持部の位置よりもガイド部の第２端側が後方へ突出する量を抑制できるので、ガイド部をコンパクトにできる。その結果、請求項１から３のいずれかの効果に加え、前蓋の移動をコンパクトにでき、前蓋の開閉動作を容易にできる効果がある。
【００１３】
請求項５記載の鍵盤蓋の開閉装置によれば、ガイド部は、鍵盤蓋が開状態における第１支持部の位置から第１端側へ向かって上方へ傾斜するので、第２支持部を中心に第１支持部が前方へ向かって回転することを防止できる。その結果、請求項１から４のいずれかの効果に加え、意図せずに開状態の鍵盤蓋が前方に倒れることを防止できる効果がある。
【００１４】
請求項６記載の鍵盤蓋の開閉装置によれば、ガイド部は、第１支持部の位置から第２端側へ向かって傾斜する方向と、第２支持部の位置から第２端側へ向かって傾斜する方向とが鍵盤蓋の開閉段階に係わらず異なる。鍵盤蓋の直線的な移動をなくすことができるので、鍵盤蓋の開閉動作を一連の回転動作のようにできる。その結果、請求項１から５のいずれかの効果に加え、鍵盤蓋の開閉をスムーズにできる効果がある。
【図面の簡単な説明】
【００１５】
【図１】（ａ）は本発明の第１実施の形態における鍵盤楽器の斜視図であり、（ｂ）は鍵盤蓋の一部を破断して示す鍵盤楽器の平面図である。
【図２】（ａ）は閉状態の鍵盤蓋の側面図であり、（ｂ）は開状態の鍵盤蓋の側面図である。
【図３】図２（ａ）のＩＩＩ−ＩＩＩ線における鍵盤蓋およびガイド部の断面図である。
【図４】（ａ）は図１（ｂ）のＩＶａ−ＩＶａ線における閉状態の鍵盤蓋を示す鍵盤楽器の断面図であり、（ｂ）及び（ｃ）は鍵盤蓋の開閉途中を示す鍵盤楽器の断面図であり、（ｄ）は開状態の鍵盤蓋を示す鍵盤楽器の断面図である。
【図５】第２実施の形態における閉状態を示す鍵盤蓋の開閉装置の断面図である。
【図６】（ａ）は第３実施の形態における閉状態を示す鍵盤蓋の開閉装置の模式図であり、（ｂ）、（ｃ）、（ｄ）及び（ｅ）は開閉途中を示す鍵盤蓋の開閉装置の模式図であり、（ｆ）は開状態を示す鍵盤蓋の開閉装置の模式図である。
【図７】（ａ）は第４実施の形態における閉状態を示す鍵盤蓋の開閉装置の模式図であり、（ｂ）、（ｃ）及び（ｄ）は開閉途中を示す鍵盤蓋の開閉装置の模式図であり、（ｅ）は開状態を示す鍵盤蓋の開閉装置の模式図である。
【発明を実施するための形態】
【００１６】
以下、本発明の好ましい実施の形態について、添付図面を参照して説明する。まず、図１（ａ）及び図１（ｂ）を参照して、本発明の第１実施の形態における鍵盤蓋２０の開閉装置１５が適用される鍵盤楽器１について説明する。図１（ａ）は本発明の第１実施の形態における鍵盤楽器１の斜視図であり、図１（ｂ）は鍵盤蓋２０の一部を破断して示す鍵盤楽器１の平面図である。なお、図１（ａ）は鍵盤蓋２０を開いた状態（開状態）を示している。本明細書では、鍵盤楽器１の左右方向は奏者からみた方向を基準とし、前後方向については鍵盤楽器１の奏者側を前方とする。
【００１７】
図１（ａ）及び図１（ｂ）に示すように、鍵盤楽器１は、電子ピアノであり、楽器ケース２と、楽器ケース２内の中央上方よりに設けられる鍵盤３と、鍵盤３を開閉自在に覆う鍵盤蓋２０とを備えている。鍵盤楽器１は、楽器ケース２内に配置される制御部（図示せず）により、操作パネル１２等に配置された操作子（図示せず）からの制御パラメータや、鍵盤３の操作状態に応じて発する制御パラメータを処理して楽音制御信号を発し、楽器ケース２に設けられるスピーカ（図示せず）がその楽音制御信号に基づいて楽音を発する。
【００１８】
楽器ケース２は、側面を構成する一対の側板４と、側板４間に亘って鍵盤３及び鍵盤蓋２０の下方に配置される棚板５（図４（ａ）参照）と、側板４間に亘って設けられると共に前面を構成する上前板６（図４（ａ）参照）、下前板７及び口棒８と、側板４間に亘って設けられると共に後面を構成する後板９（図４（ａ）参照）と、側板４の上部に架設されると共に上面を構成する天板１０とを備えている。上前板６は閉じた状態（閉状態）の鍵盤蓋２０よりも上方に位置し、下前板７は棚板５よりも下方に位置し、口棒８は棚板５よりも上方、且つ、閉状態の鍵盤蓋２０よりも下方に位置する。
【００１９】
鍵盤蓋２０は、閉状態で鍵盤３、拍子木１１及び操作パネル１２を覆うための部材であり、閉状態で略水平に側板４間に亘って設けられ、後述する開閉装置１５により開閉される。鍵盤蓋２０は、閉状態で前方側に設けられる矩形状の前蓋２１と、前蓋２１の後部に前部が連結される矩形状の後蓋２２とを備えている。閉状態の前蓋２１の前後方向の寸法は鍵盤３の前後方向の寸法よりも短く形成される。操作パネル１２は、鍵盤楽器１の設定や楽音制御のための操作子（図示せず）、各種情報を表示する表示部（図示せず）などの電子機器としての機能要素が配置される部位であり、側板４間に亘って鍵盤３及び拍子木１１の後方に設けられる。
【００２０】
次に図２（ａ）、図２（ｂ）及び図３を参照して、鍵盤蓋２０（前蓋２１及び後蓋２２）及びガイド部３０について説明する。図２（ａ）は閉状態の鍵盤蓋２０の側面図であり、図２（ｂ）は開状態の鍵盤蓋２０の側面図であり、図３は図２（ａ）のＩＩＩ−ＩＩＩ線における鍵盤蓋２０及びガイド部３０の断面図である。鍵盤楽器１は左右対称に構成されているので、鍵盤楽器１の右側を説明して鍵盤楽器１の左側の説明を省略する。なお、図２（ａ）は、鍵盤蓋２０の右側（図２（ａ）紙面手前側）に位置するガイド部３０が鍵盤蓋２０に重ねて図示されている。
【００２１】
図２（ａ）に示すように、前蓋２１は、閉状態で前部から下方へ向かって突出すると共に口棒８（図４（ａ）参照）の上面に接触して鍵盤３及び拍子木１１（図１（ｂ）参照）の前方を覆う垂下部２３と、閉状態で後部の左右両側から後方へ向かって延びる一対のアーム２４とを備えている。前蓋２１は、閉状態の前後方向の寸法が後蓋２２の前後方向の寸法よりも短く形成される。なお、垂下部２３は、閉状態で口棒８と接触する場合に限らず、鍵盤蓋２０が閉状態で口棒８との間に所定の間隔を空けて口棒８の上面に近接するように形成することも可能である。
【００２２】
アーム２４には、鍵盤蓋２０が閉状態でアーム２４の前端側から上方へ突出した部分（前蓋２１の後部の上方部分）に連結部２５が設けられ、鍵盤蓋２０が閉状態で連結部２５よりも後方、且つ、下方に第１支持部２６ａ及び第２支持部２６ｂが左右方向の外側へ向かってそれぞれ突出して設けられる。第１支持部２６ａ及び第２支持部２６ｂは、ガイド部３０に嵌まって移動が案内される円柱状のピンであり、アーム２４の前端側に第１支持部２６ａが位置し、鍵盤蓋２０が閉状態で第１支持部２６ａよりも上方に、且つ、アーム２４の後端側に第２支持部２６ｂが位置する。
【００２３】
図２（ａ）に示すように、ガイド部３０は、第１支持部２６ａ及び第２支持部２６ｂが嵌まって第１支持部２６ａ及び第２支持部２６ｂの移動を案内する部位であり、前方側の第１端３０ａから後方側の第２端３０ｂまで連続して前後方向に延びて設けられる。第１端３０ａから第２端３０ｂまで連続するガイド部３０により２つの支持部２６ａ，２６ｂの移動を案内するので、鍵盤蓋２０（前蓋２１）の開き方を特定できる。
【００２４】
図３に示すように、ガイド部３０は、コ字状断面を有する樹脂製の長尺部材を、一対の側板４の内側にそれぞれ設けた溝に嵌め込むことにより、一対の側板４の内側に溝状のガイドラインであるガイド部３０をそれぞれ形成している。摩擦係数が低い樹脂でガイド部３０を形成することで、ガイド部３０内の第１支持部２６ａ及び第２支持部２６ｂを滑り易くできるので、鍵盤蓋２０の開閉をスムーズにできる。
【００２５】
図２（ａ）に戻って説明する。ガイド部３０は、第１端３０ａから第２端３０ｂ側へ向かって後方へ上昇傾斜する上昇部３３と、上昇部３３の上端と接続すると共に後方へ下降傾斜する接続部３４と、接続部３４の後端と接続すると共に接続部３４に対して下方へ曲がる曲部３５とを備えている。上昇部３３は、第１端３０ａ側が直線状であり、第２端３０ｂ側が曲線状である。接続部３４は、上昇部３３との曲線状の接続部分を除いて略直線状である。
【００２６】
曲部３５は、鍵盤蓋２０が閉状態における第２支持部２６ｂの位置よりも第２端３０ｂ側が下方へ曲がる部位である。本実施の形態では曲部３５は、鍵盤蓋２０が閉状態における第２支持部２６ｂの位置から第２端３０ｂ側の部分であり、第２端３０ｂから第１端３０ａ側へ亘って曲線状に形成される。曲部３５は、接続部３４の後端と接続すると共に第１端３０ａ側から第２端３０ｂ側へ向かって後方へ下降傾斜する第１曲部３５ａと、第１曲部３５ａの下端と接続すると共に第２端３０ｂから第１端３０ａ側へ向かって後方へ上昇傾斜する第２曲部（傾斜部）３５ｂとを備えている。
【００２７】
ガイド部３０の曲線状部分（上昇部３３の第２端３０ｂ側、接続部３４の上昇部３３との接続部分、曲部３５）は、ガイド部３０の直線状部分（上昇部３３の第１端３０ａ側、上昇部３３との接続部分を除いた接続部３４）へ向かって徐々に曲率が小さくなるような曲線形状に形成される。その曲線形状としては、例えばインボリュート曲線やクロソイド曲線などが挙げられる。ガイド部３０の曲線状部分と直線状部分とが滑らかに連続するので、ガイド部３０に案内される第１支持部２６ａ及び第２支持部２６ｂの移動を滑らかにでき、鍵盤蓋２０の開閉をスムーズにできる。
【００２８】
図２（ｂ）に示すように、後蓋２２は、前部の左右両側から前方へ向かって延びる後蓋アーム２７を備えている。後蓋アーム２７は、前端の上側に連結部２５が設けられる。連結部２５は、後蓋２２へ向かって前蓋２１を折り曲げ可能に、前蓋２１の後部と後蓋２２の前部とをアーム２４及び後蓋アーム２７を介して連結するための部材である。
【００２９】
次に図４（ａ）、図４（ｂ）、図４（ｃ）及び図４（ｄ）を参照して、鍵盤蓋２０の開閉装置１５について説明する。図４（ａ）は図１（ｂ）のＩＶａ−ＩＶａ線における閉状態の鍵盤蓋２０を示す鍵盤楽器１の断面図であり、図４（ｂ）及び図４（ｃ）は鍵盤蓋２０の開閉途中を示す鍵盤楽器１の断面図であり、図４（ｄ）は開状態の鍵盤蓋２０を示す鍵盤楽器１の断面図である。
【００３０】
図４（ａ）に示すように、鍵盤蓋２０の開閉装置１５は、前蓋２１の左右両側に設けられる第１支持部２６ａ及び第２支持部２６ｂと、後蓋２２の後部の左右両側に取り付けられるピニオン２８と、一対の側板４の内側にそれぞれ設けられるガイド部３０と、ガイド部３０よりも後方に一対の側板４の内側にそれぞれ設けられる後部ガイド部３１とを備えている。ガイド部３０は、鍵盤蓋２０を閉めるときに第１支持部２６ａと接触して第１支持部２６ａの移動を制動する伸縮式のダンパ３２が第１端３０ａに設けられている。これにより、鍵盤蓋２０を緩やかに閉めることができる。
【００３１】
後部ガイド部３１は、後蓋２２の前後方向の移動を案内する部材であり、後方へ向かって下降傾斜するように前後方向に延びて設けられ、ラック３７と溝部３８とが平行に形成されている。ラック３７は、ピニオン２８と噛み合ってピニオン２８の前後方向の移動を案内する部材である。溝部３８は、ピニオン２８を貫通して左右両側のピニオン２８を連結する軸棒（図示せず）が嵌まって、軸棒の前後方向の移動を案内すると共にラック３７からピニオン２８が外れることを防止する部材である。
【００３２】
次に鍵盤蓋２０の開閉動作について説明する。図４（ａ）から図４（ｄ）は、順に鍵盤蓋２０の開放過程が示されている。なお、鍵盤蓋２０を閉じるときには、鍵盤蓋２０の開放過程と逆の動作が行われるので、鍵盤蓋２０を閉じるときの説明は省略する。
【００３３】
開放初期（図４（ａ）から図４（ｂ）への移行）では、第１支持部２６ａが上昇部３３に案内されて後方へ上昇すると共に、第２支持部２６ｂが曲部３５に案内されて後方へ下降する。即ち、開放初期では、前蓋２１が後方へ移動しつつ、第２支持部２６ｂを中心に第１支持部２６ａが回転するようにして前蓋２１の前部が持ち上がる。これにより、鍵盤蓋２０の開閉時に垂下部２３が鍵盤３に接触することを防止できる。
【００３４】
開放中期（図４（ｂ）から図４（ｃ）への移行）では、第１支持部２６ａが接続部３４に案内されて後方へ下降すると共に、第２支持部２６ｂが第１曲部３５ａに案内されて後方へ下降する。第１曲部３５ａは接続部３４に対して下方へ曲がるので、開放中期では、前蓋２１が後方へ移動しつつ、第２支持部２６ｂが下方へ落ち込むように第１支持部２６ａを中心に第２支持部２６ｂが回転して、前蓋２１が起立し始める。なお、開放中期では、第１支持部２６ａ及び第２支持部２６ｂが共に後方へ移動するので、前蓋２１の後方への移動動作が主である。
【００３５】
開放終期（図４（ｃ）から図４（ｄ）への移行）では、第１支持部２６ａが接続部３４又は第１曲部３５ａに案内されて後方へ下降すると共に、第２支持部２６ｂが第２曲部３５ｂに案内されて前方へ下降する。開放終期では、前蓋２１が後方へ移動しつつ、第２支持部２６ｂが下方へ落ち込むように第１支持部２６ａを中心に第２支持部２６ｂが回転して、前蓋２１が上前板６に近接または接触するように起立する。なお、開放終期では、接続部３４又は第１曲部３５ａにより第１支持部２６ａが後方へ、第２曲部３５ｂにより第２支持部２６ｂが前方へ移動するので、前蓋２１を起立させる動作が主であり、前蓋２１を後方へ傾くように起立させることができる。これにより、開状態の前蓋２１が不意に倒れることを防止できる。
【００３６】
また、第２曲部３５ｂにより第２支持部２６ｂが前方へ移動するので、アーム２４（鍵盤蓋２０）が鍵盤３に接触しないように、第２支持部２６ｂを鍵盤３へ近づけながら鍵盤蓋２０を起立させることができる。鍵盤３の後方のスペースを有効利用できると共に、ガイド部３０をコンパクトにできる。よって、上前板６と鍵盤３との間の前後方向の寸法を小さくできると共に、前蓋２１の移動をコンパクトにして前蓋２１の開閉動作を容易にできる。
【００３７】
以上のような鍵盤蓋２０の開閉装置１５によれば、前蓋２１は、固定された軸を中心に回転しないで、起立しながら後方へ移動する。固定軸を中心に前蓋２１が回転して起立する場合には、固定軸から前蓋２１の先端までの距離が決まってしまうので、開状態の前蓋２１の高さ（閉状態の前蓋２１の前後方向の寸法）が決まってしまう。一方、本実施の形態では、固定軸を中心に前蓋２１が回転しないので、開状態の前蓋２１の高さ（閉状態の前蓋２１の前後方向の寸法）は比較的自由に設定できる。従って、本実施の形態における鍵盤蓋２０の開閉装置１５は、固定された軸を中心に前蓋２１が回転して起立する場合と比較して、鍵盤蓋２０の設計に制約が少なく、鍵盤蓋２０の設計の自由度を高くできる。これにより、閉状態の前蓋２１の前後方向の長さを短くすることで、開状態の前蓋２１の高さを低減でき、楽器ケース２の高さを低減できる。
【００３８】
曲部３５が下方へ曲がっているので、開放中期および開放終期では、曲部３５により第２支持部２６ｂが下方へ落ち込むようにして前蓋２１を起立させる。開状態の前蓋２１の高さを低減できるので、開状態の前蓋２１の高さを天板１０よりも低く設定している本実施の形態では、天板１０及び上前板６の高さを低減できる。一方、開状態の前蓋２１の高さを天板１０よりも高く設定した場合には、鍵盤蓋２０が開状態の鍵盤楽器１の高さを低減できる。
【００３９】
前蓋２１は、後蓋２２と連結部２５により連結されているので、前蓋２１を開くときには、前蓋２１の後方移動に伴って後蓋２２が後方へ移動すると共に、後蓋２２に対して連結部２５を中心に前蓋２１が回転するようにして前蓋２１が起立する。後蓋２２は、上前板６の下方から楽器ケース２内に進入して後部ガイド部３１の上方のスペースに収容される。鍵盤蓋２０の閉状態では、後蓋２２に対して前蓋２１が起立される分、後蓋２２が収容されるスペースの前後方向の寸法を小さくできるので、楽器ケース２の前後方向の寸法を小さくできる。
【００４０】
後蓋２２は、前部（連結部２５）が前蓋２１の移動により案内されて、後部（ピニオン２８）が後部ガイド部３１により案内されるので、後蓋２２の開き方を特定できる。そのため、後蓋２２が楽器ケース２内に進入するときに確保する空間（後部ガイド部３１の上方のスペース）を小さくできる。
【００４１】
後蓋２２に回転自在に取り付けられる左右両側のピニオン２８は、軸棒により互いに連結されているので、左右両側のピニオン２８が同じ位相で回転し、左右両側のピニオン２８の移動量を同期させることができる。これにより、後蓋２２の開閉動作を円滑かつ確実に行うことができると共に、後蓋２２と連結する前蓋２１の開閉動作も円滑かつ確実に行うことができる。
【００４２】
鍵盤蓋２０を開くとき、後蓋２２の移動に伴って連結部２５が後方へ移動するので、連結部２５に近接する第１支持部２６ａが連結部２５と略同様に後方へ移動する。第１支持部２６ａと連結部２５との距離に比べて、第２支持部２６ｂと連結部２５との距離が大きいので、第１支持部２６ａ及び連結部２５を中心に第２支持部２６ｂが回転するように前蓋２１が起立する。即ち、前蓋２１は、第１支持部２６ａの移動により後方へ移動し、第２支持部２６ｂの移動により起立するので、第２支持部２６ｂの後方への移動距離を抑制できる。前蓋２１が閉状態の第２支持部２６ｂの位置よりもガイド部３０の第２端３０ｂ側が後方へ突出する量を抑制できるので、ガイド部３０をコンパクトにできる。その結果、前蓋２１の移動をコンパクトにでき、前蓋２１の開閉動作を容易にできる。
【００４３】
鍵盤蓋２０の閉状態では、連結部２５よりも下方に第１支持部２６ａ及び第２支持部２６ｂが位置するので、第１支持部２６ａ及び第２支持部２６ｂを案内するガイド部３０を連結部２５よりも下方に配置できる。連結部２５は前蓋２１の上部と後蓋２２の上部とを連結するので、前蓋２１及び後蓋２２（鍵盤蓋２０）の上面よりも下方にガイド部３０を配置できる。その結果、鍵盤蓋２０の閉状態ではガイド部３０を見えなくできるので、鍵盤楽器１の美観を確保できる。
【００４４】
鍵盤蓋２０の開状態では、後方へ下降傾斜（前方へ上昇傾斜）する曲部３５に第１支持部２６ａが位置するので、第２支持部２６ｂを中心に第１支持部２６ａが前方へ向かって回転することを防止できる。その結果、意図せずに開状態の前蓋２１が前方に倒れることを防止できる。なお、鍵盤蓋２０が開状態で曲部３５に第１支持部２６ａが位置する場合に限らず、鍵盤蓋２０が開状態における第１支持部２６ａの位置から第１端３０ａ側へ向かってガイド部３０が上昇傾斜している場合も同様に、意図せずに開状態の前蓋２１が前方に倒れることを防止できる。
【００４５】
鍵盤蓋２０が閉状態における第２支持部２６ｂの位置から第２端３０ｂ側の部位が曲部３５であるので、前蓋２１のいずれの開閉段階においても、略直線状である接続部３４に第１支持部２６ａと第２支持部２６ｂとを同時に位置させないようにできる。即ち、ガイド部３０は、第１支持部２６ａの位置から第２端３０ｂ側へ向かって傾斜する方向と、第２支持部２６ｂの位置から第２端３０ｂ側へ向かって傾斜する方向とを、前蓋２１の開閉段階に係わらず異ならせることができる。前蓋２１の直線的な移動をなくすことができるので、前蓋２１の開閉動作を一連の回転動作のようにできる。その結果、前蓋２１の開閉をスムーズにできる。
【００４６】
次に、図５を参照して、第２実施の形態における鍵盤蓋２０の開閉装置５０について説明する。第１実施の形態では、ガイド部３０が曲線状部分と直線状部分とで構成される場合について説明した。これに対し第２実施の形態では、ガイド部５１が直線状部分のみで構成される場合について説明する。なお、第１実施の形態と同一の部分については、同一の符号を付して以下の説明を省略する。
【００４７】
図５は、第２実施の形態における閉状態を示す鍵盤蓋２０の開閉装置５０の断面図である。図５に示すように、鍵盤蓋２０の開閉装置５０は、前蓋２１の左右両側に設けられる第１支持部２６ａ及び第２支持部２６ｂと、後蓋２２の後部の左右両側に取り付けられるピニオン２８と、一対の側板４の内側にそれぞれ設けられるガイド部５１と、ガイド部５１よりも後方に一対の側板４の内側にそれぞれ設けられる後部ガイド部３１とを備えている。ガイド部５１は、第１支持部２６ａ及び第２支持部２６ｂが嵌まって第１支持部２６ａ及び第２支持部２６ｂの移動を案内する部位であり、前方側の第１端５１ａから後方側の第２端５１ｂまで連続して前後方向に延びて設けられる。
【００４８】
ガイド部５１は、第１端５１ａから第２端５１ｂ側へ向かって後方へ上昇傾斜する直線状の上昇部５２と、上昇部５２の上端と接続すると共に後方へ下降傾斜する直線状の接続部５３と、接続部５３の後端と接続すると共に接続部５３に対して下方へ曲がる曲部５４とを備えている。上昇部５２と接続部５３と、及び、接続部５３と曲部５４とはそれぞれ所定の角度をなして互いに接続される。曲部５４は、２つの直線状部分である第１直線部５４ａと第２直線部（傾斜部）５４ｂとが所定の角度をなして互いに接続されて形成される。第１直線部５４ａは第１端５１ａ側から第２端５１ｂ側へ向かって後方へ下降傾斜し、第２直線部５４ｂは第２端５１ｂから第１端５１ａ側へ向かって後方へ上昇傾斜する。
【００４９】
上昇部５２の長さ（直線距離）、接続部５３の長さ、第１直線部５４ａの長さ、第２直線部５４ｂの長さは、第１支持部２６ａと第２支持部２６ｂとの間の距離よりも小さく設定される。前蓋２１のいずれの開閉段階においても、第１支持部２６ａと第２支持部２６ｂとを上昇部５２、接続部５３、第１直線部５４ａ及び第２直線部５４ｂのいずれかに同時に位置しないようにできる。即ち、ガイド部５１は、第１支持部２６ａの位置から第２端５１ｂ側へ向かって傾斜する方向と、第２支持部２６ｂの位置から第２端５１ｂ側へ向かって傾斜する方向とを、前蓋２１の開閉段階に係わらず異ならせることができる。前蓋２１の直線的な移動をなくすことができるので、前蓋２１の開閉動作を一連の回転動作のようにできる。その結果、前蓋２１の開閉をスムーズにできる。
【００５０】
第１直線部５４ａと第２直線部５４ｂとのなす角度は、接続部５３と第１直線部５４ａとのなす角度に比べて小さくなるように設定される。開放初期から開放終期に進むにつれて、前蓋２１の回転を小回りにできるので、開放初期から開放終期に進むにつれて、前蓋２１の後方への移動動作から前蓋２１を起立させる動作にシフトできる。前蓋２１の開閉をスムーズにしつつ、開放初期から開放終期に進むにつれて前蓋２１の起立（回転）を速くできる。さらに、接続部５３と曲部５４とのなす角度に比べて、上昇部５２と接続部５３とのなす角度を小さく設定した場合、開放初期から開放終期に進むにつれて、前蓋２１の回転を段階的に小回りにできる。前蓋２１の開閉をよりスムーズにできると共に、開放初期から開放終期に進むにつれて前蓋２１の起立（回転）を段階的に速くできる。
【００５１】
次に、図６（ａ）から図６（ｆ）を参照して、第３実施の形態における鍵盤蓋２０の開閉装置６０について説明する。第１，２実施の形態では、アーム２４に２つの支持部２６ａ，２６ｂが設けられ、２つの支持部２６ａ，２６ｂがガイド部３０，５１に案内される場合について説明した。これに対し第３実施の形態では、アーム２４に３つの支持部６１ａ，６１ｂ，６１ｃが設けられ、３つの支持部６１ａ，６１ｂ，６１ｃのうち２つがガイド部６２に案内される場合について説明する。なお、第１実施の形態と同一の部分については、同一の符号を付して以下の説明を省略する。
【００５２】
図６（ａ）は第３実施の形態における閉状態を示す鍵盤蓋２０の開閉装置６０の模式図であり、図６（ｂ）、図６（ｃ）、図６（ｄ）及び図６（ｅ）は開閉途中を示す鍵盤蓋２０の開閉装置６０の模式図であり、図６（ｆ）は開状態を示す鍵盤蓋２０の開閉装置６０の模式図である。図６（ａ）から図６（ｆ）は、前蓋２１のアーム２４に設けられた支持部６１ａ，６１ｂ，６１ｃの移動がガイド部６２に案内されて開閉する前蓋２１の開閉動作を開放過程の順に模式的に図示している。
【００５３】
図６（ａ）に示すように、前蓋２１のアーム２４には、支持部６１ａ，６１ｂ，６１ｃが左右方向の外側へ向かってそれぞれ突出して設けられる。前蓋２１（鍵盤蓋２０）の閉状態において、支持部６１ａよりも後方、且つ、上方に支持部６１ｂ，６１ｃが位置し、支持部６１ｂよりも後方、且つ、下方に支持部６１ｃが位置する。支持部６１ａと支持部６１ｂとの間の距離に比べて、支持部６１ｂと支持部６１ｃとの間の距離が短い。
【００５４】
ガイド部６２は、前方側の第１端６２ａから後方側の第２端６２ｂまで連続して、一対の側板４の内側に前後方向に延びてそれぞれ設けられる。ガイド部６２は、第１端６２ａから第２端６２ｂ側へ向かって後方へ上昇傾斜する上昇部６３と、上昇部６３の上端と接続すると共に後方へ下降傾斜する接続部６４と、接続部６４の後端と接続すると共に接続部６４に対して下方へ曲がる曲部６５とを備えている。
【００５５】
接続部６４は、想像線ｆで示す上部に後方の第３端６６ａまで延びる第２ガイド部６６の前部が接続される。曲部６５は、鍵盤蓋２０が閉状態における支持部６１ｃの位置から第２端６２ｂ側の部分であり、第２端６２ｂから第１端６２ａ側へ向かって徐々に曲率が小さくなるように設定される。曲部６５は、接続部６４の後端と接続すると共に第１端６２ａ側から第２端６２ｂ側へ向かって後方へ下降傾斜する第１曲部６５ａと、第１曲部６５ａの下端と接続すると共に第２端６２ｂから第１端６２ａ側へ向かって後方へ上昇傾斜する第２曲部（傾斜部）６５ｂとを備えている。
【００５６】
前蓋２１の閉状態（図６（ａ）の状態）では、上昇部６３内に支持部６１ａが位置し、ガイド部６２と第２ガイド部６６との境界である想像線ｆ上に支持部６１ｂが位置し、接続部６４内に支持部６１ｃが位置する。開放初期（図６（ａ）から図６（ｂ）への移行）では、支持部６１ａが上昇部６３に案内されて後方へ上昇し、支持部６１ｃが曲部６５に案内されて後方へ下降し、支持部６１ｂが想像線ｆ上からガイド部６２側に徐々に近づく。開放初期では、前蓋２１が後方へ移動しつつ、支持部６１ｃを中心に支持部６１ａが回転するようにして前蓋２１の前部が持ち上がる。これにより、鍵盤蓋２０の開閉時に垂下部２３が鍵盤３に接触することを防止できる。
【００５７】
なお、ガイド部６２内に位置してガイド部６２に移動が案内される支持部６１ａ，６１ｂ，６１ｃのうち第１端６２ａ側を第１支持部とし、第２端６２ｂ側を第２支持部とする。閉状態および開放初期では、支持部６１ａが第１支持部であり、支持部６１ｃが第２支持部である。
【００５８】
第１開放中期（図６（ｂ）から図６（ｃ）への移行）では、支持部６１ａが上昇部６３に案内されて後方へ上昇し、支持部６１ｂがガイド部６２に嵌まって接続部６４又は曲部６５に案内されて後方へ下降し、支持部６１ｃが曲部６５に案内されて後方へ下降する。なお、第１開放中期では、支持部６１ａ又は支持部６１ｂが第１支持部であり、支持部６１ｂ又は支持部６１ｃが第２支持部である。
【００５９】
第１開放中期では、第１端６２ａから第２端６２ｂまで連続するガイド部６２により３つの支持部６１ａ，６１ｂ，６１ｃの移動を案内するので、支持部６１ａ，６１ｂ，６１ｃを案内する部分のガイド部６２の形状は、３つの支持部６１ａ，６１ｂ，６１ｃとの距離がそれぞれ同一になる所定の点を中心とした円弧状に形成される。その所定の点を中心に前蓋２１が回転して起立し始める。
【００６０】
第２開放中期（図６（ｃ）から図６（ｄ）への移行）では、支持部６１ａがガイド部６２から外れて想像線ｆ上から第２ガイド部６６側へ徐々に近づき、支持部６１ｂ（第１支持部）及び支持部６１ｃ（第２支持部）が曲部６５に案内されて後方へ下降する。第２開放中期では、支持部６１ｂ，６１ｃが共に後方へ移動するので、前蓋２１の後方への移動動作が主な動作である。
【００６１】
第１開放終期（図６（ｄ）から図６（ｅ）への移行）では、支持部６１ａが想像線ｆ上から第２ガイド部６６内に移動し、支持部６１ｂ（第１支持部）が曲部６５に案内されて後方へ下降し、支持部６１ｃ（第２支持部）が第２曲部６５ｂに案内されて前方へ下降する。第１開放終期では、支持部６１ｂが後方へ、支持部６１ｃが前方へ移動するので、前蓋２１を起立させる動作が主な動作である。
【００６２】
第２開放終期（図６（ｅ）から図６（ｆ）への移行）では、支持部６１ａが第２ガイド部６６に案内されて後方へ移動し、支持部６１ｂ（第１支持部）及び支持部６１ｃ（第２支持部）が第２曲部６５ｂに案内されて前方へ下降する。第２開放終期では、支持部６１ａが後方へ、支持部６１ｂ及び支持部６１ｃが前方へ移動するので、前蓋２１を起立させる動作が主な動作である。
【００６３】
以上のような鍵盤蓋２０の開閉装置６０によれば、開放初期でガイド部６２に案内される支持部６１ａと支持部６１ｃとの間の距離よりも、第１開放終期および第２開放終期でガイド部６２に案内される支持部６１ｂと支持部６１ｃとの間の距離が短く設定される。開放初期よりも第１開放終期および第２開放終期での回転を小回りにできるので、開放初期よりも第１開放終期および第２開放終期での前蓋２１の回転を速くできる。即ち、開閉段階に応じて、支持部６１ａ，６１ｂ，６１ｃから２つを選択してガイド部６２に案内させることで、支持部６１ａ，６１ｂ，６１ｃ間の距離を変更して前蓋２１の起立（回転）の速度を変更できる。
【００６４】
曲部６５は、第２端６２ｂから第１端６２ａ側へ向かって徐々に曲率が小さくなるように設定されるので、開放初期から第２開放終期に進むにつれて、前蓋２１の回転が徐々に小回りになる。開放初期から第２開放終期に進むにつれて、前蓋２１の後方への移動動作から、前蓋２１を起立させる動作に徐々にシフトできるので、前蓋２１の開閉をスムーズにしつつ、開放初期から第２開放終期に進むにつれて前蓋２１の起立（回転）を徐々に速くできる。
【００６５】
次に、図７（ａ）から図７（ｅ）を参照して、第４実施の形態における鍵盤蓋２０の開閉装置７０について説明する。第１実施の形態では、ガイド部３０の第１端３０ａに伸縮式のダンパ３２が設けられる場合について説明した。これに対し第４実施の形態では、鍵盤３の後方に回転式のロータリダンパ７３を設ける場合について説明する。なお、第１実施の形態と同一の部分については、同一の符号を付して以下の説明を省略する。
【００６６】
図７（ａ）は第４実施の形態における閉状態を示す鍵盤蓋２０の開閉装置７０の模式図であり、図７（ｂ）、図７（ｃ）及び図７（ｄ）は開閉途中を示す鍵盤蓋２０の開閉装置７０の模式図であり、図７（ｅ）は開状態を示す鍵盤蓋２０の開閉装置７０の模式図である。図７（ａ）から図７（ｅ）は、前蓋２１のアーム２４に設けられた第１支持部７２ａ及び第２支持部７２ｂの移動がガイド部７４に案内されて開閉する前蓋２１の開閉動作を開放過程の順に模式的に図示している。なお、開閉装置７０は、前蓋２１（鍵盤蓋２０）の開閉動作（ガイド部７４による第１支持部７２ａ及び第２支持部７２ｂの移動の案内の仕方）が第１実施の形態と同様であるので説明は省略する。
【００６７】
図７（ａ）に示すように、アーム２４は、前蓋２１（鍵盤蓋２０）が閉状態において、後端側から鉛直下方へ延びる第２アーム７１を備えている。アーム２４には第１支持部７２ａ及び第２支持部７２ｂが左右方向の外側へ向かってそれぞれ突出して設けられる。第１支持部７２ａ及び第２支持部７２ｂは、ガイド部７４に嵌まって移動が案内される円柱状のピンであり、前蓋２１が閉状態で第１支持部７２ａよりも後方、且つ、上方に第２支持部７２ｂが位置する。
【００６８】
第２アーム７１の下端には、第３支持部７２ｃが左右方向の外側へ向かって突出して設けられる。第３支持部７２ｃは、第３ガイド部７８に嵌まって移動が案内される円柱状のピンであり、前蓋２１を開閉させた場合に回転半径が小さくなる位置に配置される。
【００６９】
楽器ケース２の一対の側板４の内側には、鍵盤３の後方に回転式のロータリダンパ７３が設けられる。ロータリダンパ７３は、第３支持部７２ｃの移動に伴って回転軸を中心に回転して、前蓋２１を閉める場合の第３支持部７２ｃの移動を制動するための部位であり、回転軸から径方向に突出した一対の部材で第３支持部７２ｃを摺動可能に挟む。ロータリダンパ７３は、前蓋２１を閉める場合の第３支持部７２ｃの移動を制動するので、前蓋２１を緩やかに閉めることができる。
【００７０】
ガイド部７４は、第１支持部７２ａ及び第２支持部７２ｂの移動を案内するための部位であり、楽器ケース２の一対の側板４の内側に前後方向に延びて、前方側の第１端７４ａから後方側の端部である想像線ｆで示す部分（以下「第２端」と称す）まで連続してそれぞれ設けられる。
【００７１】
ガイド部７４は、第１端７４ａから第２端側へ向かって後方へ上昇傾斜する上昇部７５と、上昇部７５の上端と接続すると共に後方へ下降傾斜する接続部７６と、接続部７６の後端と接続すると共に接続部７６に対して下方へ曲がる曲部７７とを備えている。曲部７７は、鍵盤蓋２０が閉状態における第２支持部７２ｂの位置から第２端側の部分であり、接続部７６の後端と接続すると共に第１端７４ａ側から第２端側へ向かって後方へ下降傾斜する第１曲部７７ａと、第１曲部７７ａの下端と接続すると共に第２端から第１端７４ａ側へ向かって後方へ上昇傾斜する第２曲部（傾斜部）７７ｂとを備えている。
【００７２】
第３ガイド部７８は、第３支持部７２ｃの移動を案内するための部位であり、第１支持部７２ａ及び第２支持部７２ｂがガイド部７４に案内されて開閉するときの、第３支持部７２ｃの軌跡に一致して、楽器ケース２の一対の側板４の内側に設けられる。第３ガイド部７８は、ロータリダンパ７３の後方側から前方側へ向かって下に凸の円弧状に形成され、後方側の第４端部７８ａから前方側の第５端部７８ｂまで連続して設けられる。
【００７３】
ガイド部７４の第２端と第３ガイド部７８とは想像線ｆを境界として互いに接続し、ガイド部７４の第１端７４ａから第３ガイド部７８の第５端７８ｂまでが滑らかな曲線状に形成されている。そのため、ガイド部７４の第１端７４ａから第３ガイド部７８の第５端７８ｂまでを連続して形成した後、第３ガイド部７８の想像線ｆの部分から第４端７８ａまでを形成できるので、ガイド部７４と第３ガイド部７８とを別々に形成する場合に比べて、ガイド部７４及び第３ガイド部７８の形成作業をし易くできる。
【００７４】
第３支持部７２ｃは、前蓋２１を開閉させた場合に回転半径が小さくなる位置に配置されるので、第３ガイド部７８の寸法を小さくできる。第３ガイド部７８に案内される第３支持部７２ｃを挟んで制動させるロータリダンパ７３のサイズを小さくできるので、楽器ケース２内の空間を確保できる。また、ロータリダンパ７３は鍵盤３の後方に配置され、ロータリダンパ７３の周囲に第３ガイド部７８が形成されるので、ロータリダンパ７３及び第３ガイド部７８を外側から見えなくできる。
【００７５】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記第１実施の形態では、鍵盤楽器１が電子ピアノである場合について説明したが、必ずしもこれに限られるものではなく、アコースティックピアノや、オルガンなどその他の鍵盤楽器に本発明を適用することは当然可能である。
【００７６】
上記各実施の形態では、連結部２５により前蓋２１と後蓋２２とが折り曲げ可能に連結された鍵盤蓋２０について説明したが、必ずしもこれに限られるものではなく、前後で折り曲げ可能でない鍵盤蓋（例えば、一枚板の鍵盤蓋）を用いることは当然可能である。この場合、鍵盤蓋の後部側を鍵盤３の後方に落とし込むように、ガイド部の形状や配置、第１支持部および第２支持部の配置を設定することが可能である。
【００７７】
上記各実施の形態では、支持部２６ａ，２６ｂ，６１ａ，６１ｂ，６１ｃ，７２ａ，７２ｂ，７２ｃが前蓋２１のアーム２４に設けられる場合について説明したが、必ずしもこれに限られるものではなく、前蓋２１に支持部を直接設けることは当然可能である。
【００７８】
上記各実施の形態では、支持部２６ａ，２６ｂ，６１ａ，６１ｂ，６１ｃ，７２ａ，７２ｂ，７２ｃが左右両側のアーム２４にそれぞれ設けられ、ガイド部３０，５１，６２，７４が左右一対の側板４の内側にそれぞれ設けられる場合について説明したが、必ずしもこれに限られるものではなく、左側（又は右側）のアーム２４のみに支持部を設け、左側（又は右側）の側板４のみにガイド部を設けることは当然可能である。また、左側のアーム２４に２つの支持部を設け、右側のアーム２４に１つの支持部を設け、左右一対の側板４の内側にそれぞれガイド部を設けることも可能である。この場合、左側のアーム２４に設けられた２つの支持部がガイド部に案内されて前蓋２１の開き方を特定できると共に前蓋２１の左側を支持でき、右側のアーム２４に設けられた１つの支持部により前蓋２１の右側を支持できる。
【００７９】
上記各実施の形態では、前蓋２１の前部から下方へ向かって垂下部２３が突出する場合について説明したが、必ずしもこれに限られるものではなく、垂下部２３を省略することは当然可能である。この場合、開閉時に垂下部２３が鍵盤３に接触しないように設けたガイド部３０，５１，６２，７４の上昇部３３，５２，６３，７５を省略できる。
【００８０】
上記各実施の形態では、支持部２６ａ，２６ｂ，６１ａ，６１ｂ，６１ｃ，７２ａ，７２ｂ，７２ｃが円柱状のピンである場合について説明したが、必ずしもこれに限られるものではなく、支持部をローラやピニオンとすることは当然可能である。この場合、ガイド部３０，５１，６２，７４内で支持部が転がって支持部の移動を円滑にできる。
【００８１】
上記各実施の形態では、ガイド部３０，５１，６２，７４が溝状のガイドラインである場合について説明したが、必ずしもこれに限られるものではなく、ガイド部を突起状のガイドラインとすることは当然可能である。この場合、ガイド部の上下を上下一対の支持部で挟むことで、支持部の移動がガイド部に案内される。
【００８２】
上記各実施の形態では、ガイド部３０，５１，６２，７４が前後方向に延びて設けられる場合について説明したが、必ずしもこれに限られるものではなく、ガイド部を上下方向に延びて形成することは当然可能である。この場合、鍵盤蓋２０が起立しながら鍵盤蓋２０が後方へ移動するように、ガイド部の形状や配置、支持部の配置を設定する。
【００８３】
上記第１実施の形態では、ガイド部３０が直線状部分と曲線状部分で構成される場合について説明したが、必ずしもこれに限られるものではなく、ガイド部を全て曲線状部分で構成することは当然可能である。この場合、第２端から第１端へ向かって曲率が徐々に小さくなるような曲線状にガイド部を形成することで、鍵盤蓋２０の開放動作が進むにつれて、前蓋２１の後方への移動動作から、前蓋２１を起立させる動作に徐々にシフトできる。その結果、前蓋２１の開閉をスムーズにしつつ、鍵盤蓋２０の開放動作が進むにつれて前蓋２１の起立（回転）を徐々に速くできる。曲率が徐々に小さくなるような曲線として、例えば、インボリュート曲線、クロソイド曲線、３次曲線などが挙げられる。
【００８４】
上記第３実施の形態では、３つの支持部６１ａ，６１ｂ，６１ｃのうち少なくとも２つの移動がガイド部６２に案内される場合について説明したが、必ずしもこれに限られるものではなく、４つ以上の支持部を設け、４つ以上の支持部のうち少なくとも２つの移動がガイド部に案内されるように、ガイド部の形状や配置、４つ以上の支持部の配置を設定することが可能である。
【符号の説明】
【００８５】
２    楽器ケース
３    鍵盤
４    側板
１５，５０，６０，７０    開閉装置
２０  鍵盤蓋
２１  前蓋
２２  後蓋
２３  垂下部
２４  アーム
２５  連結部
２６ａ，７２ａ  第１支持部
２６ｂ，７２ｂ  第２支持部
３０，５０，６２，７４    ガイド部
３０ａ，５１ａ，６２ａ，７４ａ  第１端
３０ｂ，５１ｂ，６２ｂ，７４ｂ  第２端
３３，５２，６３，７５    上昇部
３５，５４，６５，７７    曲部
３５ｂ，５４ｂ，６５ｂ，７７ｂ  第２曲部（傾斜部）
【図１】
2017026789.tif 000003
【図２】
2017026789.tif 000004
【図３】
2017026789.tif 000005
【図４】
2017026789.tif 000006
【図５】
2017026789.tif 000007
【図６】
2017026789.tif 000008
【図７】
2017026789.tif 000009